(57)【要約】【課題】  ＴＤＭＡ−ＴＤＤ通信方式に於ける移動無線装置及び送信タイミング制御方法に関し、複数の基地局との間の通信を、回路規模を増大することなく可能とする。【解決手段】  受信タイミング抽出部２４により、基地局からの受信信号を基に受信タイミング位相情報４１を抽出し、この受信タイミング位相情報４１を基に受信タイミング情報生成部２５により受信タイミング補正情報４２を生成し、この受信タイミング補正情報４２を基に送信タイミング情報生成部２６により送信タイミング補正情報４３を生成し、この送信タイミング補正情報４３を基に送信タイミング補正部２７により送信タイミングを補正する。【選択図】      図１
2006174215.tif 000002
【特許請求の範囲】
【請求項１】
ＴＤＭＡ−ＴＤＤ通信方式に於ける移動無線装置に於いて、
受信信号の受信タイミング位相情報を抽出する受信タイミング抽出部と、
該受信タイミング抽出部からの受信タイミング位相情報を基に受信タイミング補正情報を生成する受信タイミング情報生成部と、
該受信タイミング情報生成部からの受信タイミング補正情報を基に送信タイミング補正情報を生成する送信タイミング情報生成部と、
該送信タイミング情報生成部からの送信タイミング補正情報を基に送信タイミングを補正する送信タイミング補正部と
を備えたことを特徴とする移動無線装置。
【請求項２】
ＴＤＭＡ−ＴＤＤ通信方式に於ける送信タイミング制御方法に於いて、
受信信号の受信タイミング位相情報を抽出し、該受信タイミング位相情報を基に受信タイミング補正情報を生成し、該受信タイミング補正情報を基に送信タイミング補正情報を生成し、該送信タイミング補正情報に従って送信タイミングを補正する過程を含む
ことを特徴とする送信タイミング制御方法。
【発明の詳細な説明】
【技術分野】
【０００１】
本発明は、ＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ）方式に於ける送信タイミング制御手段を備えた携帯電話機等の移動無線装置及び該移動無線装置の送信タイミング制御方法に関する。
【背景技術】
【０００２】
ＴＤＭＡ−ＴＤＤ方式による移動無線システムとして、例えば、ＰＨＳ（Ｐｅｒｓｏｎａｌ  Ｈａｎｄｙｐｈｏｎｅ  Ｓｙｓｔｅｍ）が知られている。このＰＨＳに於ける送受信フレームは、例えば、図５に示すように、第１〜第４の４個の送信タイムスロットＴｘ１〜Ｔｘ４と、第１〜第４の４個の受信タイムスロットＲｘ１〜Ｒｘ４とにより構成され、１フレーム期間は５ｍｓである。従って、２００Ｈｚの周期で送受信が行われることになる。又基地局（ＣＳ）が第１タイムスロットＴｘ１を用いて子局（ＰＳ）（なお、「子局」は、「携帯電話機」、「移動無線装置」又は「移動局」と同様の無線送受信機能を有する装置として説明する）に送信すると、その子局（ＰＳ）は、第１の受信タイムスロットＲｘ１により受信し、基地局（ＣＳ）に対しては、第１の送信タイムスロットＴｘ１により送信する。基地局（ＣＳ）は、この子局（ＰＳ）からの送信信号を第１の受信タイムスロットＲｘ１により受信する。即ち、基地局（ＣＳ）と子局（ＰＳ）との間は、同一番号の送受信タイムスロットを用いて送受信するものである。
【０００３】
この場合、基地局（ＣＳ）から子局（ＰＳ）までの距離に対応した伝送遅延時間τが生じる。即ち、図示のように、基地局（ＣＳ）から第１の送信タイムスロットＴｘ１により送信すると、子局（ＰＳ）は遅延時間τ後に、第１の受信タイムスロットＲｘ１として受信することになる。この第１の受信タイムスロットＲｘ１を基準として、２．５ｍｓ後を第１の送信タイムスロットとすると、基地局（ＣＳ）は、フレーム周期の第１の受信タイムスロットＲｘ１に対して２τの遅延時間後に、子局（ＰＳ）からの信号を受信することになる。そこで、子局は、遅延時間τに相当する時間より前を送信タイミングとして、第１の送信タイムスロットＴｘ１とする。それにより、基地局（ＣＳ）に於ける第１の受信タイムスロットＲｘ１となる。
【０００４】
このような送信タイミングの補正手段が各種提案されている。例えば、移動局（子局）は、同期クロック信号発生部とカウンタとを含む構成とし、同期クロック信号発生部は、基地局の送信データを受信して、検出したフレーム同期信号により初期化されて同期クロック信号を発生し、又カウンタは、検出したフレーム同期信号により、リセットされて、同期クロック信号発生部からの同期クロック信号をカウントして、受信タイミング及び送信タイミングを、カウンタのカウント値を基に設定する手段が知られている（例えば、特許文献１参照）。
【０００５】
又受信データと受信クロック信号とによりユニークワードを検出し、その検出タイミング信号を出力するユニークワード検出器と、シンボルクロック信号によりＴＤＭＡタイミングを生成し、移動局（子局）の送信スロットタイミングと受信スロットタイミングとを生成するＴＤＭＡタイミング生成器と、ユニークワードの検出タイミングによって、受信シンボルタイミングと移動局のシンボルクロックとの位相を比較して、その位相差を求める位相検出器と、その位相差に従って基本クロック信号の補正量を求めて、進み／遅れの補正指示を行うマイクロプロセッサと、このマイクロプロセッサからの指示に従った補正量を基に補正タイミングを生成する補正カウンタと、受信シンボルタイミング周期のｎ×ｍ倍のクロック信号を１／ｎ分周して、基本クロック信号を生成する１／ｎ分周器と、基本クロック信号に対して補正カウンタからの補正タイミングにより、進み補正の場合はクロック削除、遅れ補正の場合はクロック挿入を行って同期補正クロック信号を出力する補正器と、同期補正クロック信号を１／ｍ分周して、シンボルクロック信号を出力する１／ｍ分周器とを備えて、１／ｍシンボルの精度で、ＴＤＭＡタイミングを検知して送信することにより、送信波のジッタやずれを防止し、且つ隣接タイムスロットに対する干渉を防止する手段が提案されている（例えば、特許文献２参照）。
【０００６】
又高速通信を可能とする為に、第１〜第４の４個の送信タイムスロットＴｘ１〜Ｔｘ４と、第１〜第４の４個の受信タイムスロットＲｘ１〜Ｒｘ４とを、１台の移動局（子局）が使用するシステムが知られている。このシステムに於いては、移動局は、複数の基地局との間で通信することになる。例えば、第１、第２の送信及び受信タイムスロットにより第１の基地局との間で送受信し、第３、第４の送信及び受信タイムスロットにより第２の基地局との間で送受信するシステムが知られており、その場合、複数の基地局と移動局との間の距離はそれぞれ異なる場合が殆どであるから、送受信のスロットのそれぞれの遅延量が相違することになる。その為に、タイムスロット毎に送信タイミングを補正する必要が生じる。
【０００７】
このように、複数の基地局との間で送受信するシステムの移動局（子局）は、複数のタイムスロット、即ち、第１〜第４の受信タイムスロットにより受信した受信信号を基にそれぞれ独立した位相のクロック信号を再生し、この再生クロック信号に同期した受信データを、第１の処理遅延により固定位相クロック信号に同期した受信データに変換し、又固定位相クロック信号に同期した送信データを、第２の処理遅延によりそれぞれ再生クロック信号に同期した送信データに変換し、第１の処理遅延と第２の処理遅延との和を一定に制御する手段が知られている（例えば、特許文献３参照）。
【特許文献１】特開２００２−２４７０１９号公報
【特許文献２】特許第３１７６８０１号公報
【特許文献３】特開２００１−１８６１１４号公報
【発明の開示】
【発明が解決しようとする課題】
【０００８】
複数の基地局との間で通信して、複数の送受信タイムスロットを用いて高速通信を可能とする為には、前述のように、複数の基地局対応の無線伝播遅延時間を補正する送信タイミングを得ることが必要であり、その為に、従来例に於いては、複数のクロック再生回路を設け、受信タイミングに対応した送信タイミングの制御を行うものであるが、その為に、回路規模の増大並びに消費電力の増大の問題があった。
【０００９】
本発明は、前述の従来例の問題点を解決するものであり、回路規模並びに消費電力を増大することなく、複数の基地局との間の高速通信を可能とすることを目的とする。
【課題を解決するための手段】
【００１０】
本発明の移動無線装置は、ＴＤＭＡ−ＴＤＤ通信方式に於ける移動無線装置であって、受信信号の受信タイミング位相情報を抽出する受信タイミング抽出部と、この受信タイミング抽出部からの受信タイミング位相情報を基に受信タイミング補正情報を生成する受信タイミング情報生成部と、この受信タイミング情報生成部からの受信タイミング補正情報を基に送信タイミング補正情報を生成する送信タイミング情報生成部と、この送信タイミング情報生成部からの送信タイミング補正情報を基に送信タイミングを補正する送信タイミング補正部とを備えている。
【００１１】
又本発明の送信タイミング制御方法は、ＴＤＭＡ−ＴＤＤ通信方式に於ける送信タイミング制御方法であって、受信信号の受信タイミング位相情報を抽出し、この受信タイミング位相情報を基に受信タイミング補正情報を生成し、この受信タイミング補正情報を基に送信タイミング補正情報を生成し、この送信タイミング補正情報に従って送信タイミングを補正する過程を含むものである。
【発明の効果】
【００１２】
ＴＤＭＡ−ＴＤＤ通信方式に於いて、受信タイミングを抽出し、その位相情報を基に受信タイミング補正情報を生成し、その受信タイミング補正情報を基に送信タイミング補正情報を生成して、送信タイミングを補正するもので、この送信タイミング補正は、比較的簡単なソフトウエア処理によって実行することができる利点が有り、複数の送受信タイムスロットを用いて、複数の基地局との間で送受信する場合でも、装置構成を複雑化することなく実行することができる。
【発明を実施するための最良の形態】
【００１３】
本発明の移動通信装置は、図１を参照して説明すると、受信信号の受信タイミング位相情報を抽出する受信タイミング抽出部２４と、この受信タイミング抽出部２４からの受信タイミング位相情報４１を基に受信タイミング補正情報４２を生成する受信タイミング情報生成部２５と、この受信タイミング情報生成部２５からの受信タイミング補正情報４２を基に送信タイミング補正情報４３を生成する送信タイミング情報生成部２６と、この送信タイミング情報生成部２６からの送信タイミング補正情報４３を基に送信タイミングを補正する送信タイミング補正部２７とを備えている。
【００１４】
本発明の送信タイミング制御方法は、ＴＤＭＡ−ＴＤＤ通信方式に於ける送信タイミング制御方法であって、受信信号の受信タイミング位相情報４１を抽出し、この受信タイミング位相情報４１を基に受信タイミング補正情報４２を生成し、この受信タイミング補正情報４２を基に送信タイミング補正情報４３を生成し、この送信タイミング補正情報４３に従って送信タイミングを補正する過程を含むものである。
【実施例１】
【００１５】
図１は、本発明の実施例１の移動無線装置の要部を示し、前述のＰＨＳ端末に適用した場合について説明する。同図に於いて、１０はアナログ部、１１はアンテナ、１２はＲＦ（高周波）部、１３はＡＤ変換器（Ａ／Ｄ）、１４はＤＡ変換器（Ｄ／Ａ）、２０はディジタル部、２１は復調部、２２は自動利得制御部、２３は受信タイミング補正部、２４は受信タイミング抽出部、２５は受信タイミング情報生成部、２６は送信タイミング情報生成部、２７は送信タイミング補正部、２８はタイミング制御部、２９は変調部、３０はベースバンド信号処理部を示し、このベースバンド信号処理部３０に接続される送受信データ処理部は、図示を省略している。又４０はタイミング制御情報、４１は受信タイミング位相情報、４２は受信タイミング補正情報、４３は送信タイミング補正情報を示す。なお、ディジタル部２０の各部の機能を、演算処理機能を有するＤＳＰ（Ｄｉｇｉｔａｌ  Ｓｉｇｎａｌ  Ｐｒｏｃｅｓｓｏｒ）により実現することもできる。
【００１６】
アナログ部１０は、無線周波信号を処理する機能を有するもので、アンテナ１１とＲＦ部１２とＡＤ変換器１３とＤＡ変換器１４とを含む構成の場合を示し、ＲＦ部１２は、無線周波数と中間周波数又はベースバンド周波数との周波数変換機能を有するものである。このＲＦ部１２により中間周波数又はベースバンド信号にダウンコンバートされた受信信号をＡＤ変換器１３によりディジタル信号に変換して、ディジタル部２０の復調部２１に転送する。
【００１７】
ディジタル部２０は、復調部２１と、変調部２９と、受信タイミング補正部２３や送信タイミング補正部２７等を含む送受信タイミング制御機能と、ベースバンド信号処理部３０とを含む構成を有し、アナログ部１０のＡＤ変換器１３によりディジタル信号に変換された受信信号を復調部２１により復調処理し、自動利得制御部２２により受信信号の利得制御を行い、受信タイミング補正部２３により、受信タイミングの補正を行って、ベースバンド信号処理部３０に転送し、受信タイムスロット対応のバーストデータを連続データに変換して、図示を省略した送受信データ処理部に受信データとして転送する。
【００１８】
又ベースバンド信号処理部３０に入力された送信データは、連続データとして入力されるものであるが、バーストデータに変換して、１フレーム中の自己に割当てられたスロットに挿入し、送信タイムスロット対応にバーストデータに変換し、送信タイミング補正部２７により、基地局との間の伝送遅延時間に対応して送信タイミングが補正され、変調部２９により変調され、アナログ部１０のＤＡ変換器１４によりアナログ信号に変換され、ＲＦ部１２により送信周波数にアップコンバートされて、アンテナ１１から送信される。又複数の基地局との間でそれぞれ異なるタイムスロットにより送受信する場合は、基地局対応に、送信タイミングが補正される。
【００１９】
又受信タイミング抽出部２４は、入力された受信データのリアル成分又はイマジナリ成分又はそれらの両方からボーレート周波数を抽出してベクトル化し、それを２乗して２倍角として、この２倍角成分からタイミング成分を抽出するもので、２倍角成分のベクトル情報から−２〜＋２のスカラー情報（θ）に変換して、タイミング位相情報４１とし、受信タイミング情報生成部２５に入力する。
【００２０】
又タイミング制御部２８から受信タイミング情報生成部２５と送信タイミング情報生成部２６とにタイミング制御情報４０を入力する。又送信タイミング情報生成部２６は、タイミング制御部２８からのタイミング制御情報４０と、受信タイミング情報生成部２５からの受信タイミング補正情報４２とを基に、送信タイミング補正情報４３を生成して送信タイミング補正部２７に入力し、バーストデータを、所望のタイミングで基地局に対して送信できるように、送信タイミングの補正処理を行うものである。
【００２１】
図２は、前述の図１に於ける受信タイミング情報生成部２５と、送信タイミング情報生成部２６との詳細な機能の説明図であり、図１と同一符号は同一機能部分を示し、１００は最小桁ビット出力回路、１０１は時定数判定回路、１０２は積分回路、１０３は積分タップイニシャル回路、１１０ａ，１１０ｂは論理積演算器（ＡＮＤ）、１１１ａ〜１１１ｄは加算器、１１２ａ〜１１２ｃは乗算器、１１３は遅延タップ（ＴＰＡ）、１１４は排他的論理和演算器（ＸＯＲ）、１１５はビットシフト演算器（ＳＦＴ）、１１６は積分タップ（ＴＭＣＣ）、１１７は符号反転器（ＮＥＧ）を示す。
【００２２】
受信タイミング情報生成部２５は、最小桁ビット出力回路１００と、積分回路１０２と、積分タップイニシャル回路１０３とを含む構成を有し、送信タイミング情報生成部２６は、加算器１１１ｃ，１１１ｄと符号反転器１１７とを含む構成を有するもので、受信タイミング抽出部２４（図１参照）からの受信タイミング位相情報（ＴＩＭＳ）４１と、タイミング情報部２８（図１参照）からのタイミング制御情報４０とが受信タイミング情報生成部２５に入力され、受信タイミング補正情報（ＲｘＰＨＡＤ）４２を出力して、送信タイミング情報生成部２６と、受信タイミング補正部２３（図１参照）とに入力する。又送信タイミング情報生成部２６は、前述の受信タイミング補正情報４２とタイミング制御情報４０とが入力されて、送信タイミング補正情報（ＴｘＰＨＡＤ）を送信タイミング補正部２７（図１参照）に入力する。
【００２３】
以下１６進法に基づいた数値表現形式を用いて各部の処理機能を説明する。例えば、受信タイミング抽出部２４（図１参照）からの受信タイミング位相情報（ＴＩＭＳ）４１の＋２〜−２について、その中の＋０．０〜＋２．０は、“００００”〜“７ＦＦＦ”に、又−０．０〜−２．０は、“ＦＦＦＦ”〜“８０００”にそれぞれ対応させ、又０〜３６０度について、その中の＋０度〜＋３６０度は、“１ＦＦＦ”〜“００００”に、又−０度〜−３６０度は、“２０００”〜“３ＦＦＦ”にそれぞれ対応させて説明する。
【００２４】
最小桁ビット出力回路１００は、論理積演算器１１０ｂと乗算器１１２ｂと遅延タップ１１３と排他的論理和演算器１１４とビットシフト演算器１１５とからなる時定数判定回路１０１と、論理積演算器１１０ａと、加算器１１１ａと、乗算器１１２ａ，１１２ｃとを含む構成を有し、積分回路１０２は、加算器１１１ｂと積分タップ１１６とを含む構成を有する。又送信タイミング情報生成部２６は、加算器１１１ｃと符号反転器１１７と加算器１１１ｄとを含む構成を有する。
【００２５】
最小桁ビット出力回路１００は、受信タイミング抽出部２４（図１参照）からの受信タイミング位相情報（ＴＩＭＳ）４１を基に極性に対応した±ＬＳＢ（Ｌｅａｓｔ  Ｓｉｇｎｉｆｉｃａｎｔ  Ｂｉｔ；最下位ビット）を出力するものであり、論理積演算器１１０ａにより“８０００”との論理積を求め、加算器１１１ａにより“４０００”を加算し、乗算器１１２ａにより２−９を乗算して、時定数判定回路１０１と乗算器１１２ｃとに入力する。
【００２６】
時定数判定回路１０１は、遅延タップ１１３により遅延された前回の入力値と今回の入力値とを乗算器１１２ｂにより乗算し、乗算結果を論理積演算器１１０ｂに入力して“８０００”との論理積を求め、排他的論理和演算器１１４により“８０００”との排他的論理和を求め、ビットシフト演算器１１６により、−１５ビットのシフト処理を行って、乗算器１１２ｃに入力する。この時定数判定回路１０１の出力は、今回の入力値と前回の入力値とが同一符号の場合は１、異なる場合は０となる。
【００２７】
積分回路１０２は、最小桁ビット出力回路１００の乗算器１１２ｃの出力を加算器１１１ｂに入力し、加算出力を受信タイミング補正情報（ＲｘＰＨＡＤ）４２として出力すると共に、積分タップ１１６に入力し、その積分タップ１１６の積分出力を加算器１１１ｂに入力する。積分タップイニシャル回路１０３は、積分値ＴＭＣＣが所定範囲を超えた時に、排他的論理和処理ＸＯＲにより、積分タップ１１６を初期化するもので、図示のように、ＴＭＣＣ≧“３０００”の時は、積分値ＴＭＣＣと“２０００”との排他的論理和ＸＯＲ、“１０００”≦ＴＭＣＣ＜“３０００”の時は、そのまま、ＴＭＣＣ＜“１０００”の時は、積分値ＴＭＣＣと“２０００”との排他的論理和ＸＯＲを行う。従って、積分値ＴＭＣＣが±３６０度を超える前に、±１シンボル分をジャンプして引き戻して、積分回路１０２の積分処理が行われることになる。
【００２８】
なお、このジャンプ処理が送受信中に発生すると、不連続点が発生することにより、データエラーが発生することがある。その場合は、積分タップイニシャル回路１０３のイニシャル処理を、送受信タイムスロット間のガードタイム内に行うように制御することができる。
【００２９】
図３の（Ａ）は、受信タイミング情報生成部２５から受信タイミング補正部２３及び送信タイミング情報生成部２６に加える受信タイミング補正情報（ＲｘＰＨＡＤ）４２と、送信タイミング情報生成部２６から送信タイミング補正部２７に加える送信タイミング補正情報（ＴｘＰＨＡＤ）４３との関係を示し、図３の（Ｂ）は、積分タップイニシャル回路１０３（図２参照）の処理条件を示すものであり、図３の（Ａ）に於いて、例えば、受信タイミング補正情報（ＲｘＰＨＡＤ）４２が、＋９０度（“１８００”）を示す場合、受信タイミング補正部２３に於いて＋９０度のフィルタ処理によりタイミング遅れを補正し、送信タイミング補正部２７に於いては、逆に、−９０度（“２８ＦＦ”）のフィルタ処理によりタイミングを進めることになる。即ち、送信タイミング情報生成部２６に於いては、受信タイミング補正情報（ＲｘＰＨＡＤ）４２に対して、反転処理を施して、送信タイミング補正情報（ＴｘＰＨＡＤ）４３を出力することになる。
【００３０】
又図３の（Ｂ）は、積分値ＴＭＣＣと、積分タップイニシャル回路１１６による排他的論理和処理（ＸＯＲ）と、積分イニシャル値との対応と、位相角度との関係を示し、前述のように、積分値ＴＭＣＣが“１０００”以下（＋１８０度以上）となると、積分タップイニシャル回路１０３は、“２０００”との排他的論理和処理（ＸＯＲ）により、“２ＦＦＦ”（−１８０度）にジャンプさせる。矢印のＪＰはこのジャンプを示している。又反対に、積分値ＴＭＣＣが“２ＦＦＦ”以上（−１８０度以上）となると、積分タップイニシャル回路１０３は、“２０００”との排他的論理和処理（ＸＯＲ）により、“１０００”（＋１８０度）にジャンプさせる。このように、積分値ＴＭＣＣが所定範囲を超えたときに、積分タップイニシャル回路１０３により所定範囲に引き戻して、受信タイミング補正情報及び送信タイミング補正情報を生成することができる。
【００３１】
図４は、送信タイミング補正動作を４フレームについて示すもので、Ｒｘ１〜Ｒｘ４は受信タイムスロット、Ｔｘ１〜Ｔｘ４は送信タイムスロットを示し、１番目のタイムスロットＲｘ１，Ｔｘ１を用いて送受信する場合の受信タイミング補正情報ＲｘＰＨＡＤと送信タイミング補正情報ＴｘＰＨＡＤとの変化状態を示す。１フレーム目の受信タイムスロットＲｘ１の受信タイミング補正情報ＲｘＰＨＡＤ（積分回路１０２の積分値ＴＭＣＣ）が“２０００”から“１８００”に変化し、送信タイムスロットＴｘ１の送信タイミング補正情報ＴｘＰＨＡＤは、受信タイミング補正情報ＲｘＰＨＡＤの“１８００”（＋９０度）を反転させた“２７ＦＦ”（−９０度）とする。
【００３２】
次の２フレーム目の受信タイムスロットＲｘ１に於いて、受信タイミング補正情報ＲｘＰＨＡＤが“１８００”から“１０００”に変化すると、送信タイムスロットＴｘ１の送信タイミング補正情報ＴｘＰＨＡＤは、“１０００”（＋１８０度）を反転させた“２ＦＦＦ”（−１８０度）とする。次の３フレーム目の受信タイムスロットＲｘ１の受信タイミング補正情報ＲｘＰＨＡＤが“１０００”から“０８００”に変化すると、送信タイムスロットＴｘ１の送信タイミング補正情報ＴｘＰＨＡＤは、“０８００”を反転させた“３７ＦＦ”とする。この場合は、±１８０度を超えたことになり、積分タップイニシャル回路１０３により、ＴＭＣＣ＜“１０００”の条件から、ＴＭＣＣと“２０００”との排他的論理和処理により、受信タイミング補正情報ＲｘＰＨＡＤを“２８００”にジャンプさせる。それにより、次の４フレーム目の受信タイムスロットＲｘ１の受信タイミング補正情報ＲｘＰＨＡＤは“２８００”から例えば“２０００”に変化する。従って、送信タイムロットＴｘ１の送信タイミング補正情報ＴｘＰＨＡＤは、“２０００”を反転させた“１ＦＦＦ”となる。
【００３３】
前述の送信タイミング補正処理は、１番目のタイムスロットＲｘ１，Ｔｘ１を対象とした場合について示すものであるが、２番目〜４番目のタイムスロットに対しては、演算処理過程におけるデータをタイムスロット対応に保持するメモリ領域を設けることにより、タイムスロット対応の時分割処理により、各タイムスロットのタイミング補正を行うことができるから、複数の基地局との間のそれぞれ異なるタイムスロットによる送受信処理を円滑に行うことができる。
【図面の簡単な説明】
【００３４】
【図１】本発明の実施例１の移動無線装置の説明図である。
【図２】本発明の実施例１の受信タイミング情報生成部と送信タイミング情報生成部の機能説明図である。
【図３】送受信タイミング補正情報及び積分タップイニシャル回路の処理説明図である。
【図４】送信タイミング補正動作の説明図である。
【図５】ＴＤＭＡ−ＴＤＤ方式のフレーム説明図である。
【符号の説明】
【００３５】
１０  アナログ部
１１  アンテナ
１２  ＲＦ部
１３  ＡＤ変換器
１４  ＤＡ変換器
２０  ディジタル部
２１  復調部
２２  自動利得制御部
２３  受信タイミング補正部
２４  受信タイミング抽出部
２５  受信タイミング情報生成部
２６  送信タイミング情報生成部
２７  送信タイミング補正部
２８  タイミング制御部
２９  変調部
３０  ベースバンド信号処理部
【図１】
2006174215.tif 000003
【図２】
2006174215.tif 000004
【図３】
2006174215.tif 000005
【図４】
2006174215.tif 000006
【図５】
2006174215.tif 000007